(57)【要約】【課題】密閉性に優れ、その密閉性を維持できる信頼性の高い、折畳み式扉を備えた貯蔵庫を提供する。【解決手段】箱本体の開口部を開閉する折畳み式扉１０を有する貯蔵庫において、パネル１１〜１４の連結部分のうち、内側に閉じるように旋回する第１の連結部分１６ａおよび１６ｃに面する位置に補助柱２１ａおよび２１ｂを配置し、さらに、マグネットパッキン４４により連結部分１６ａおよび１６ｃを内側に引き寄せられるようにする。補助柱２１ａおよび２１ｂにより第１の連結部分１６ａおよび１６ｃが庫内側から保護されるので、庫内側から押されて扉１０が開くことはない。また、扉１０を閉じると、パッキン４４の磁力により連結部分１６ａおよび１６ｃが補助柱２１ａおよび２１ｂに引き寄せられて高い密閉性が得られる。【選択図】        図５
2005009149.tif 000002
【特許請求の範囲】
【請求項１】
前面が開口部となった箱本体と、
前記開口部を開閉する扉であって、スライドする方向に分割された複数のパネルを備え、これらの複数のパネルが順番に旋回可能に連結された折畳み式扉と、
前記スライドする方向と直交する方向に前記開口部を横断するように延びた補助部材であって、前記折畳み式扉の内側に閉じるように旋回する第１の連結部分に面するように配置された補助部材と、
前記補助部材に対して前記第１の連結部分を引き寄せる機構とを有する貯蔵庫。
【請求項２】
請求項１において、前記補助部材は前記折畳み式扉と同じ方向にスライド可能である貯蔵庫。
【請求項３】
請求項１において、前記補助部材は前記折畳み式扉の開閉に連動してスライドする貯蔵庫。
【請求項４】
請求項１において、前記折畳み式扉は前記開口部を水平方向に開閉する貯蔵庫。
【請求項５】
請求項１において、前記引き寄せる機構は磁力を発生する機構であり、前記補助部材または前記第１の連結部分には、磁石が取り付けられている貯蔵庫。
【発明の詳細な説明】
【０００１】
【発明の属する技術分野】
本発明は、折畳み式またはアコーディオン式と称される開閉扉を備えた貯蔵庫に関するものである。
【０００２】
【従来の技術】
玄米や豆類などが収容された袋体などの貯蔵物を貯蔵する貯蔵庫が知られている。貯蔵庫を開閉する扉としては、様々なタイプのものが提供されている。折畳み式またはアコーディオン式などと称されるタイプの扉（以降では折畳み式扉と称する）は、スライド方向に分割された複数のパネルがヒンジにより旋回可能に連結されており、分割されたパネルを一方に折り畳んで扉全体の収納スペースを小さくすることができる。この折畳み式扉は、セパレートされたパネルが開く観音開き、または旋回式の扉や、セパレートされたパネルが個々にスライドするスライド式の扉に比べて幾つかの点で優れている。
【０００３】
まず、一方または両方の扉を独立して旋回して開口部を開く旋回式の扉は、開口全体を広く開けることができる点で優れているが、扉を開くために貯蔵庫の前方に広いスペースを必要とする。スライド式扉は貯蔵庫の前方に広いスペースを必要としないが、開口全体を広く開放できず、開口面積が限られてしまう。これに対し、折畳み式扉は旋回式の扉とほぼ同様に開口を広く開けることができ、扉を開くために貯蔵庫の前方に広いスペースを必要としない。特開平８−１２１００４号公報などにはアコーディオン式扉の開閉装置が開示されている。
【０００４】
【特許文献１】
特開平８−１２１００４号公報
【０００５】
【発明が解決しようとする課題】
図６に示す貯蔵庫１００は折畳み式扉１２０を有するものである。この折畳み式扉１２０は、水平方向Ｘにスライドし、そのスライド方向（水平方向）Ｘに分割された４枚のパネル１２１を備えており、これらがヒンジ１２２を介して旋回可能に連結されている。３つの連結部分１２３ａ、１２３ｂおよび１２３ｃのうち、両側の２つの連結部分１２３ａおよび１２３ｃは、図６（ａ）の扉１２０を閉じた状態から、図６（ｂ）の扉１２０が開いた状態になるときには内側に閉じるように旋回する第１の連結部分であり、中央の連結部分１２３ｂは外側に閉じるように旋回する第２の連結部分である。したがって、扉１２０を開いたときには、各々のパネルが内面同士または外面同士が接した状態で折り畳まれる。
【０００６】
このような折畳み式扉１２０を有する貯蔵庫１００においては、密閉性または気密性を高くすることが難しい。図６（ａ）に示すように、扉１２０が閉じた状態で、庫内１０３の側から力が働くと、第１の連結部分である連結部１２３ａおよび１２３ｃが旋回して扉１２０が開きやすい。例えば、庫内１０３に貯蔵された荷１１０が何らかの要因により崩れ、その荷１１０が扉１２０に接触したような状況になると扉１２０が開きやすい。したがって、扉１２０は比較的容易に、若干開いた状態になる可能性があるので、気密性が損なわれやすく、信頼性に欠ける。
【０００７】
また、折畳み式扉１２０は、連結部分が多く、各々のパネル１２１を連結しているヒンジ部分の気密性を確保することが難しいため、その点でも気密性を確保することが難しい。特に、扉１２０を開いたときの扉１２０の収納スペースを小さくするためには、サイズの小さなパネル１２１を多数設けることが望ましく、ヒンジで連結する部分が増え、気密性を確保することがいっそう困難になる。
【０００８】
そこで、本発明においては、折畳み式扉を採用し、なおかつ、気密性あるいは密閉性が高く、信頼性も高い貯蔵庫を提供することを目的としている。
【０００９】
【課題を解決するための手段】
このため、本発明においては、内側に閉じるように旋回する第１の連結部分に面して補助部材を設け、収納された荷が傾いても第１の連結部分を内側から押さないようにすると共に、扉を閉じたときに補助部材と第１の連結部分を引き寄せることにより密閉性を高められるようにしている。すなわち、本発明の貯蔵庫は、前面が開口部となった箱本体と、開口部を開閉する扉であって、スライドする方向に分割された複数のパネルを備え、これらの複数のパネルが順番に旋回可能に連結された折畳み式扉と、スライドする方向と直交する方向に開口部を横断するように延びた補助部材であって、折畳み式扉の内側に閉じるように旋回する第１の連結部分に面するように配置された補助部材と、補助部材に対して第１の連結部分を引き寄せる機構とを有する。
【００１０】
本発明の貯蔵庫では、内側に閉じるように旋回する第１の連結部分に面した位置に補助部材が配置されているので、扉を閉じた状態では、第１の連結部分が補助部材により庫内側または内側から保護された状態になる。外側に閉じるように旋回する第２の連結部分は内側から力が働いても折畳み式の扉は開かない。これに対し、内側に閉じるように旋回する第１の連結部分は、内側から力が働くと折畳み式の扉は開いてしまう。本発明においては、第１の連結部分に庫内側から力が加わるのを補助部材により確実に防止でき、庫内で荷が崩れたとしても荷が補助部材により支持されるので、第１の連結部分には当たらず扉は開かない。このため、密閉性が損なわれることはなく、また、荷が崩れて飛び出してくることもなく安全性および信頼性が高い。
【００１１】
逆に、第１の連結部分を内側に引っ張ると折畳み式扉は、パネルが直線的に伸びて密閉性が向上する。したがって、補助部材と第１の連結部分とを引き寄せることにより、密閉性をいっそう高めることも可能である。
【００１２】
このように、本発明においては、内側に旋回する第１の連結部分に面して補助部材を配置することにより、内側からの圧力による扉の開放を防止すると共に、補助部材により第１の連結部分を内側に引っ張ることにより密閉性を高めることができる。したがって、間口を広く開けられると共に扉を開けるためのスペースが小さいけれども密閉性と信頼性に問題があった折畳み式の扉において、密閉性と信頼性とが共に高い折畳み式の扉を提供できる。
【００１３】
補助部材は固定されていても良いが、荷の出し入れには障害となり、折畳み式の扉のメリットが半減する。したがって、補助部材をスライド可能とし、開口部を横断している補助部材を貯蔵物の搬出入の邪魔にならない位置まで移動することが望ましい。補助部材は扉を開けた後に手動で動かすようにしても良いが、扉の開閉に連動して補助部材をスライドさせることにより、貯蔵物を搬出入する際の手間をさらに省くことができる。
【００１４】
扉は上下方向にスライドして開口部を開閉するものでも、水平方向にスライドして開口部を開閉するものでも良い。また、引き寄せる機構は磁力を発生する機構とし、補助部材または内側に閉じるように旋回する連結部分に磁石を取り付けることにより、内側に旋回する連結部分を内側に容易に引き寄せることが可能である。引き寄せる機構としては、補助部材や内側に閉じるように旋回する連結部分に吸引パッドを取り付けることができる。また、突起およびこの突起に係合する手段を備え、適度な力を加えると補助部材と連結部分が離れる機構を採用することも可能である。
【００１５】
【発明の実施の形態】
以下に図面を参照して本発明をさらに詳しく説明する。図１に本発明に係る貯蔵庫の外観を示してあり、図２に貯蔵庫を平面（水平）で切った断面を示してある。また、図１は、貯蔵庫を前面側から見て、折畳み式の扉を左側に開いている様子、図２は扉を右側に開いている様子を示している。貯蔵庫１は、前面が開口部２となった断熱性の箱本体３と、開口部２を開閉する折畳み式の扉１０とを有しており、左右いずれか一方に扉１０をスライドさせることにより、開口部２を広く開放して庫内６の適当な位置に貯蔵物５を搬出入できる。箱本体３の上部には、冷却装置、暖房装置、加湿装置のいずれか、あるいはそれら全てを含む環境制御ユニット７が取り付けられており、庫内６の温度や湿度などの環境を所望の条件に制御できる。
【００１６】
折畳み式扉１０は、左右方向または水平方向Ｘに分割された４枚のパネル体１１、１２、１３および１４を備えており、これらのパネル１１〜１４がヒンジ１５を介して順番に旋回可能に連結されている。３つの連結部分１６ａ、１６ｂおよび１６ｃのうち、両側の２つの連結部分１６ａおよび１６ｃは、扉１０を閉じた状態から扉１０が開いた状態になるときには内側に閉じるように旋回する第１の連結部分であり、中央の連結部分１６ｂは外側に閉じるように旋回する第２の連結部分である。この扉１０は、開くときは、第１の連結部分１６ａおよび１６ｃが前方に突き出た位置に動き、両端１１ａ、１４ａおよび第２の連結部分１６ｂが開口２の縁に沿って設けられたレール４１の上をスライドする。このため、パネル１１の内面とパネル１２の内面、パネル１２の外面とパネル１３の外面、パネル１３の内面とパネル１４の内面が向かい合うように、複数のパネル１１〜１４が折り畳まれる。一方、閉じるときは、第１の連結部分１６ａおよび１６ｃが動き、第１の連結部分１６ａおよび１６ｃ、および第２の連結部分１６ｂがレール４１の上に一直線になる。このため、各々のパネル１１〜１４が水平方向Ｘに一直線に整列した状態になって開口部２を密閉する。
【００１７】
各々のパネル１１〜１４の両端にはシール用のパッキン１８が設けられており、扉１０を閉じると、隣り合うパネル同士のパッキン１８が密着して各々の連結部分１６ａ、１６ｂおよび１６ｃが密閉される。さらに、両端のパネル１１および１４の端１１ａおよび１４ａに設けられたパッキン１８と開口部２の縁が密着し、開口２が密閉される。さらに、開口２の上下には、扉１０の上下の端のシール面４４と当たる受け部２７が形成されており、扉１０の上下も本体３に密着し、開口２が密封される。
【００１８】
開口２の扉１０より内側に、上下方向に延びる金属製の補助柱（補助部材）２１ａおよび２１ｂが配置されている。上下方向は、扉１０がスライドする方向Ｘに直交する方向であり、第１の連結部分１６ａおよび１６ｃが伸びた方向となる。これらの補助柱２１ａおよび２１ｂは、第１の連結部分１６ａおよび１６ｃに対面するように床面６ａおよび天井６ｂに配置されたレール２２により上下が支持された状態で水平方向Ｘにスライドする。このため、レール２２は、扉１０を閉じたときの一方の第１の連結部分１６ａの位置から他方の第１の連結部分１６ｃの位置まで延びており、レール２２の両端には補助柱２１を停止させ、それぞれが第１の連結部分１６ａおよび１６ｃに面した位置で止まるようにするストッパ２３が設置されている。
【００１９】
図３に内側に旋回する第１の連結部分１６ａおよび１６ｃを前後方向の断面を用いて示し、図４に中央の第２の連結部分１６ｂを前後方向の断面を用いて示してある。図３および図４に示すように、各々の補助柱２１ａおよび２１ｂは、その下端に、レール２２の上を動くようにキャスター２５が設けられている。補助柱２１ａおよび２１ｂの上端も同様である。上端は、柱２１ａおよび２１ｂが受ける負荷によってはレールに沿って動くガイドだけでキャスターを省略することも可能である。補助柱２１ａおよび２１ｂを異なるレール上をスライドするようにしても良いが、庫内６に設けるレールの数が増え、貯蔵物の収容スペースが低減する。したがって、柱２１ａおよび２１ｂが共通のレール２２の上をスライドする構成はスペース効率が高く経済的である。
【００２０】
貯蔵庫１において、扉１０は、水平方向Ｘに延びるレール４１と、これに対応するキャスター４２とを組み合わせた機構により水平方向Ｘにスライドする。水平方向Ｘの両端に位置する扉１０の端１１ａおよび端１４ａと、中央の第２の連結部分１６ｂは、上端および下端にキャスター４２が設けられ、レール４１の上をスライドする。第１の連結部分１６ａおよび１６ｃは、パネル１１および１２、パネル１３および１４によりそれぞれ支持され、扉１０の開閉に応じてレール４１の位置から外れて前後方向Ｙの位置が変動するようになっている。
【００２１】
補助柱２１ａおよび２１ｂは、床面６ａから天井６ｂまで延びて開口部２を縦に横断しており、レール２２の両端にそれぞれの補助柱２１ａおよび２１ｂが位置すると、第１の連結部分１６ａおよび１６ｃに対して上端から下端まで面した状態となり、庫内６の荷５に対して第１の連結部分１６ａおよび１６ｃを保護する。すなわち、これらの補助柱２１ａおよび２１ｂにより、庫内６の積荷５が何らかの要因により崩れても補助柱２１ａおよび２１ｂにより止まり、第１の連結部分１６ａおよび１６ｃには至らない。このため、連結部分１６ａおよび１６ｃが貯蔵物５の荷崩れにより外側に押されて扉１０が開くことはない。したがって、本例の扉１０は密閉性が高く、安全で信頼性も高い。
【００２２】
補助柱２１ａおよび２１ｂに面する第１の連結部分１６ａおよび１６ｃには、磁石４３を備えたマグネットパッキン４４が設けられており、補助柱２１ａおよび２１ｂの少なくともマグネットパッキン４４に面した部分は鉄板２９になっている。このため、扉１０を閉じると、磁石４３の磁力により連結部分１６ａおよび１６ｃは、補助柱２１ａおよび２１ｂに引き寄せられて補助柱２１ａおよび２１ｂに第１の連結部分１６ａおよび１６ｃがそれぞれ吸着された状態となる。第１の連結部分１６ａおよび１６ｃを補助柱２１ａおよび２１ｂに引き寄せる機構としては、第１の連結部分１６ａおよび１６ｃを鉄製にして、補助柱２１ａおよび２１ｂの側にマグネットパッキンを取り付けても良い。また、通常の、磁力のないパッキンと、マグネットとの組み合わせによっても第１の連結部分１６ａおよび１６ｃを補助柱２１ａに引き寄せることができる。また、連結部分１６ａおよび１６ｃの密封性がパネル１１〜１４の両端に設けられたパッキン１８により保証されるのであれば、補助柱２１ａおよび２１ｂに沿ってパッキンを設ける必要もない。第１の連結部分１６ａおよび１６ｃは、内側に引っ張ることにより折り畳まれた扉が開いた状態になり、パネル１１および１２と、パネル１３および１４が直線状態になって広がり、また、それぞれのパネル１１および１２の対峙する端面同士、パネル１３および１４の対峙する端面同士が密着する。したがって、折り畳まれた状態の扉１０を開いて開口２の密封性を向上し、さらに、第１の連結部分１６ａおよび１６ｃの密封性を向上することができる。
【００２３】
さらに、補助柱２１ａおよび２１ｂの上端および下端は水平方向Ｘに延びる受け部２７と交差し、受け部２７のシール面２７ａと補助柱２１ａおよび２１ｂの扉側の外面２１ｄがほぼ面位置が同じになるようになっている。そして、連結部分１６ａおよび１６ｃを内側に引っ張って扉１０を広げて閉じると、パネル１１、１２、１３および１４の下端および上端が受け部２７のシール面２７ａに当たり、その部分にパッキンを設けておくことにより扉１０の上下も密封することができる。貯蔵庫１においてはマグネットパッキン４４をパネル１１、１２、１３および１４の下端および上端にも設置すると共に、受け部２７のシール面２７ａにマグネット受け部となる鉄板２８を設けた構成で扉１０の上下を密閉している。図４は、第２の連結部分１６ｂにおいて扉の上下が密封される様子を示している。
【００２４】
図５に、扉１０を右側に開いた状態と、扉１０を閉じた状態とを拡大して示してある。扉１０の両端１１ａおよび１４ａに扉１０の開閉に連動して補助柱２１ａおよび２１ｂをスライドするためのガイド４７および４８が設けられている。これらのガイド４７および４８は、磁石４７ａおよび４８ａにより補助柱２１ａおよび２１ｂをそれぞれスライドする方向に押すことも可能であり、また、引っ張ることも可能である。したがって、図５（ａ）に示すように、扉１０の左端１１ａを右側にスライドさせて開口部２を開くと、左側の補助柱２１ａがガイド４７により押されて右側にスライドし、貯蔵物５の搬出入の邪魔にならない。
【００２５】
一方、図５（ｂ）に示すように、扉１０の左端１１ａを左側に閉じると、ガイド４７の磁石４７ａにより補助柱２１ａは吸引されて左端１１ａと共に左側にスライドし、左側のストッパ２３に当たり補助柱２１ａは停止する。補助柱２１ａが停止した位置は、第１の連結部分１６ａに面する位置であり、補助柱２１ａにより第１の連結部分１６ａを内側に引っ張って扉１０を密閉できる。
【００２６】
扉１０の右端１４ａを左側に開く場合は、右端１４ａのガイド４８により、上記と同様に右側の補助柱２１ｂが動かされる。したがって、２本の補助柱２１ａおよび２１ｂは扉１０の開閉に連動してスライドし、貯蔵物５の搬出入の邪魔にならない。それと共に、扉１０を閉めると、第１の連結部分１６ａおよび１６ｃに面する位置までそれぞれの補助柱２１ａおよび２１ｂが自動的に動き、扉１０を密閉する。
【００２７】
また、扉１０が閉じられた状態においては、第１の連結部分１６ａおよび１６ｃが補助柱２１ａおよび２１ｂにより庫内側からの圧力に対して保護される。このため、庫内６に収納された貯蔵物５が何らかの要因により連結部分１６ａおよび１６ｃの側に崩れたとしても、補助柱２１ａおよび２１ｂにより第１の連結部分１６ａおよび１６ｃには至らず、連結部分１６ａおよび１６ｃが前方に押されて扉１０が開くことはない。さらに、扉１０が開いて荷が飛び出してしまうこともない。
【００２８】
第２の連結部分１６ｂに荷崩れにより圧力が加わっても、第２の連結部分１６ｂは内側の圧力が加わると扉１０が閉まる方向となるので、密閉性はかえって向上する。また、本例の貯蔵庫１においては、扉１０を開けるときは、第２の連結部分１６ｂがスライドするだけで庫内に入らない。したがって、荷が第２の連結部分１６ｂに当たっていても扉１０を開ける際に支障にならない。この点、単に折畳み式の扉であると第１の連結部分１６ａおよび１６ｃをレールに沿ってスライドさせるという構造も成り立つが、第２の連結部分１６ｂが庫内に入るので庫内の面積が狭くなったり、荷崩れにより扉が開かないという事態が発生する可能性がある。
【００２９】
また、貯蔵庫１においては、補助柱２１ａおよび２１ｂで貯蔵物５を支持した状態でも、左端１１ａのガイド４７が左側の補助柱２１ａに当たるまでは、扉１０を右側にスライドできる。また、右端１４ａのガイド４８が補助柱２１ｂに当たるまでは、扉１０を左側にスライドできる。このため、貯蔵物５の姿勢を修正できる程度には扉１０を常に開けることが可能であり、荷崩れが発生した場合でも、扉１０を支障なく開けることができる。
【００３０】
このように貯蔵庫１では、折畳み式扉１０を閉じたときに、内側に旋回する第１の連結部分１６ａおよび１６ｃに面する位置に補助柱２１ａおよび２１ｂを設けることにより、アコーディオン式に折畳まれる扉１０の安全性と密封性を確保できる。また、補助柱により第１の連結部分をそれぞれ吸引して扉１０の中間においてパネル同士の直線性を向上し、パネル同士の結合部分の強度を向上できる。したがって、連結部分の数を増やしても折畳み式の扉の密封性や強度を向上できるので、より小さなサイズのパネルを多数用いた折畳み式扉を採用することも可能であり、扉１０を開いたときの開口面積をいっそう広げることも可能である。ただし、補助柱の数が増えると、それらが集積したときの面積は開口面積から除かれるので、パネルの分割数はそれほど多くない適当な数にすることが望ましい。
【００３１】
なお、上記の貯蔵庫１では、マグネットパッキン４４を用いた機構により、連結部分１６ａおよび１６ｃを内側に引き寄せているが、吸引パッドまたは吸着パッドを用いた機構や、係合突起と係合孔とを組み合わせた機構でも良い。これらの機構であれば、扉１０を開く際にある程度の力が加わったときに、補助柱２１ａおよび２１ｂと連結部分１６ａおよび１６ｃが引き離され、開閉は容易である。マグネットパッキン４４を用いた機構は、突き出た部分がなく、シンプルである点で優れている。また、開口２の上下にそってシールする部分にもマグネットパッキン４４を用いているが、これらの部分はシールできれば良いので、マグネット４３のないパッキンを用いて密閉することが可能である。このような構造であれば、内側に引き寄せられる面積を少なくでき、補助部材２１ａおよび２１ｂにより第１の連結部分１６ａおよび１６ｃを引き寄せて少ない力で効果的に扉１０を密封することが可能であり、さらに、扉の開閉に要求される力も小さくて良い。
【００３２】
また、折畳み式扉１０を水平方向Ｘに開閉する貯蔵庫１を説明したが、扉を上下方向に開閉する貯蔵庫についても本発明を適用することが可能であり、この場合は、補助柱を水平方向Ｘに横断するように設置し、上下方向にスライドできるようにすれば良い。
【００３３】
【発明の効果】
以上に説明したように、本発明においては、内側に閉じるように旋回する第１の連結部分に面して補助部材を設けると共に、さらに、扉を閉じたときに補助部材と第１の連結部分を引き寄せられるようにしている。これにより、庫内側の荷が傾いても、第１の連結部分を内側の圧力から保護でき、また、第１の連結部分を内側に引き寄せて扉の密封性を向上できる。したがって、本発明の貯蔵庫により、密閉性に優れると共に信頼性も高い、折畳み式扉を備えた貯蔵庫を提供できる。
【図面の簡単な説明】
【図１】本発明に係る貯蔵庫の外観を示す図である。
【図２】図１に示す貯蔵庫の水平方向の断面図である。
【図３】図１に示す貯蔵庫において、内側に閉じるように旋回する連結部分の周辺部分の前後方向の断面図である。
【図４】図１に示す貯蔵庫において、外側に閉じるように旋回する連結部分の周辺部分の前後方向の断面図である。
【図５】図５（ａ）は扉を開いたときの様子を示す図、図５（ｂ）は扉を閉じたときの様子を示す図である。
【図６】従来の折畳み式扉を備えた貯蔵庫の断面図である。
【符号の説明】
１    貯蔵庫
２    開口部  ３    箱本体
１０    折畳み式扉
１１、１２、１３、１４    パネル
１６ａ、１６ｃ    第１の連結部分
１６ｂ    第２の連結部分
２１ａ、２１ｂ    補助柱
４３    マグネット
４４    マグネットパッキン（引き寄せる機構）
４７、４８    ガイド
【図１】
2005009149.tif 000003
【図２】
2005009149.tif 000004
【図３】
2005009149.tif 000005
【図４】
2005009149.tif 000006
【図５】
2005009149.tif 000007
【図６】
2005009149.tif 000008